(57)【要約】【課題】装飾品としての機能を損なうことなく、家庭において便利な付加的機能を備えた陶磁器製装飾盤を提供する。【解決手段】本発明の陶磁器製装飾盤は、２枚の陶板１０をその裏面を重ね合わせて接合一体化し、その外周縁に壁掛け用の装飾紐１３を巻き付けたものである。２枚の陶板１０の一方又は双方の裏面に凹部を形成し、この凹部に永久磁石を封入して陶板の表面を磁気吸着面とした。また一方の陶板の表面を装飾面１６とし、他方の陶板の表面に緩衝材を接合した緩衝面とした。本発明の陶磁器製装飾盤は、鍋敷きとして使用するに適したものである。【選択図】図１
2020093490.tif 000002
【特許請求の範囲】
【請求項１】
２枚の陶板をその裏面を重ね合わせて接合一体化し、その外周縁に壁掛け用の装飾紐を巻き付けた陶磁器製装飾盤であって、
前記２枚の陶板の一方又は双方の裏面に凹部を形成し、前記凹部に永久磁石を封入して陶板の表面を磁気吸着面とし、
また一方の陶板の表面を装飾面とし、他方の陶板の表面を緩衝材を接合した緩衝面としたことを特徴とする陶磁器製装飾盤。
【請求項２】
前記２枚の陶板の双方の裏面に複数の凹部を形成し、それぞれの凹部に永久磁石を封入したことを特徴とする請求項１に記載の陶磁器製装飾盤。
【請求項３】
前記永久磁石が板状の希土類ネオジウム磁石であることを特徴とする請求項１に記載の陶磁器製装飾盤。
【請求項４】
前記緩衝材が、着色されたパイル紙であることを特徴とする請求項１に記載の陶磁器製装飾盤。
【発明の詳細な説明】
【技術分野】
【０００１】
本発明は、鍋敷きや壁掛けとして用いることができる陶磁器製装飾盤に関するものである。
【背景技術】
【０００２】
２枚の陶板を接合一体化し、その外周縁に壁掛け用の装飾紐を巻き付けた陶磁器製装飾盤は、本発明者の特許文献１に記載されている通り従来から知られている。
【０００３】
この特許文献１に記載の陶磁器製装飾盤は、陶板の中央部に窓穴を形成し、その裏面に裏板を嵌め込んだものであり、陶板の軽量化と、装飾効果の向上を図ったものである。この陶磁器製装飾盤は、陶板の表面に様々な図柄や模様を印刷したり焼き付けたりすることができるので、観光地や遊園地などで販売されるお土産品として好評を得ている。
【０００４】
購入者はこれを鍋敷きとしたり、自宅の壁などに飾ったりして楽しむことができるが、この陶磁器製装飾盤は主として装飾品としての機能を備えるものであり、家庭において便利な付加的機能を備えたものではなかった。
【先行技術文献】
【特許文献】
【０００５】
【特許文献１】特許第３８０５６１５号公報
【発明の概要】
【発明が解決しようとする課題】
【０００６】
従って本発明の目的は上記した従来の問題点を解決し、装飾品としての機能を損なうことなく、家庭において便利な付加的機能を備えた陶磁器製装飾盤を提供することである。
【課題を解決するための手段】
【０００７】
上記の課題を解決するためになされた本発明は、２枚の陶板をその裏面を重ね合わせて接合一体化し、その外周縁に壁掛け用の装飾紐を巻き付けた陶磁器製装飾盤であって、前記２枚の陶板の一方又は双方の裏面に凹部を形成し、前記凹部に永久磁石を封入して陶板の表面を磁気吸着面とし、また一方の陶板の表面を装飾面とし、他方の陶板の表面を緩衝材を接合した緩衝面としたことを特徴とするものである。
【０００８】
好ましい実施形態においては、前記２枚の陶板の双方の裏面に複数の凹部を形成し、それぞれの凹部に永久磁石を封入した構造とすることができる。また好ましい実施形態においては、前記永久磁石を板状の希土類ネオジウム磁石とすることができる。さらに好ましい実施形態においては、前記緩衝材を着色されたパイル紙とすることができる。
【発明の効果】
【０００９】
本発明の陶磁器製装飾盤は、２枚の陶板をその裏面を重ね合わせて接合一体化し、その外周縁に壁掛け用の装飾紐を巻き付けた構造であるので、陶板の表面に様々な図柄や模様を印刷したり焼き付けて装飾面とすることができ、従来と同様に鍋敷きとして用いたり、壁掛けとするなど、装飾品としての機能がある。
【００１０】
また本発明の陶磁器製装飾盤は、２枚の陶板の一方又は双方の裏面に凹部を形成し、これらの凹部に永久磁石を封入して陶板の表面を磁気吸着面としたものであるから、鉄やその他の強磁性体を吸着させることができる。鍋敷きとして用いた場合には、鉄製鍋の底面に鍋敷きを吸着させることができる。また壁掛けとして用いた場合には、強磁性体からなる鍵や鋏、ヘアピン等の小物を陶板の表面に吸着保持させておくことができる。特に家庭の誰もがわかる場所に置いておきたい鍵その他の小物の置き場として、便利である。また、鉄製のクリップを用いれば、伝言用のメモなどを張り付けたりすることもできる。永久磁石は陶板の内部に封入されているため、劣化することもない。
【００１１】
また本発明の陶磁器製装飾盤は、一方の陶板の表面を装飾面とし、他方の陶板の表面を緩衝材を接合した緩衝面とした構造であるから、鍋敷きとして用いてもテーブル面を疵付けることがなく、壁面に掛けても壁面を疵付けるおそれがない。また、着色された緩衝材を用いることにより全体としての意匠性を高めることができる。
【００１２】
なお、２枚の陶板の双方の裏面に凹部を形成した構造とすれば、同一の型を用いて同一形状の陶板を量産することができる利点がある。また、複数の永久磁石を封入した構造とすれば、陶板の表面の広い範囲を磁気吸着面とすることができる。
【図面の簡単な説明】
【００１３】
【図１】実施形態の陶磁器製装飾盤を示す正面図である。
【図２】図１のＡ−Ａ断面図である。
【図３】陶板の裏面の説明図である。
【図４】鍋敷きとして使用する状態の説明図である。
【図５】壁掛けとして使用する状態の説明図である。
【発明を実施するための形態】
【００１４】
以下に本発明の実施形態を説明する。
図１は本発明の実施形態の陶磁器製装飾盤を示す正面図、図２はそのＡ−Ａ断面図である。本発明の陶磁器製装飾盤は、２枚の陶板１０、１０を接着剤により接合一体化したものである。各陶板１０は表面が平割面であり、裏面には図３に示されるように凹部１１が形成されている。軽量にするために、各陶板１０の厚さは１０ｍｍ以下とすることが好ましい。
【００１５】
各陶板１０は左右対称形であり、かつ同一形状である。このため同一のモールドを用いて量産することができる。このような同一形状の陶板１０の一方を裏返し、裏面を重ね合わせて接合一体化されている。このため両側の陶板１０の裏面の凹部１１は同一位置で対向し、内部に中空の凹部が形成される。後述するように、この中空の凹部内に永久磁石１２が封入される。
【００１６】
この実施形態では、３つの凹部１１が形成されているが、その数は任意である。またこの実施形態では、両方の陶板１０を同一形状として両方の陶板１０に凹部１１を形成したが、片側の陶板１０にのみ凹部１１を形成し、他方の陶板１０の裏面は平滑としても差し支えない。
【００１７】
図２に示すように、各陶板１０の裏面側の外周縁は全周にわたり斜めに面取りされている。このため２枚の陶板１０、１０を接合一体化すると、外周縁に連続した凹溝が形成され、この凹溝に壁掛け用の装飾紐１３が巻き付けられている。装飾紐１３を着色して意匠効果を持たせることが好ましい。また図１に示すように、装飾紐１３の上部をクリップ１４で止め、吊り掛け部１５を形成することができる。
【００１８】
図１に示すように、表側の陶板１０の表面には任意の図柄がプリントされて焼き付けられており、装飾面１６となっている。しかし陶板１０の表面に凹凸模様を形成することも可能である。観光地で販売される土産物とする場合には、それぞれの観光地に特有の風景や文字、マスコットなどが装飾面１６に形成される。装飾面１６には陶板に特有の様々な意匠的効果を付与することができる。しかし陶板１０の表面に焼き付けられた模様は半永久的に劣化することがない。
【００１９】
図２に示されるように、他方の陶板１０の表面は、緩衝材１７を接合した緩衝面となっている。緩衝材１７は本発明の陶磁器製装飾盤を鍋敷きや壁掛けとして使用したときに、テーブル面や壁面を疵付けたりしないようにする目的のものである。用いられる緩衝材１７の種類は特に限定されるものではなく、コルク板、不織布、厚紙など任意である。しかしこの実施形態では、着色されたパイル紙を用いている。
【００２０】
このパイル紙はヴィペールの商品名で市販されており、紙を裏貼りしたベルベットのような感触のパイル紙である。様々な着色がなされているので、装飾面１６の図柄や装飾紐１３の色彩に対応させたものを選択することにより、陶磁器製装飾盤の裏面にも色彩的な一体感を与えることができる。またこのパイル紙は滑りにくい特性を持つため、壁掛け用の裏面材として適している。
【００２１】
前記した中空の凹部内には永久磁石１２が封入されている。永久磁石１２としては陶板１０を透過する磁力を備え、陶板１０の表面を磁気吸着面とすることができる性能を持つものが使用される。この実施形態ではネオジウムと鉄とホウ素を主成分とした正方晶構造を有する希土類ネオジウム磁石を用いた。この磁石は比重が小さくかつ強力な磁力を有するもので、例えば直径１５ｍｍ、厚み５ｍｍの丸形磁石の場合、磁束密度が３３０ｍＴであり、４．５ｋｇの吸着力を示す。またこの磁石は耐食性に優れるため、陶磁器製装飾盤の内部に封入したまま永年放置されても、磁力が低下するおそれはない。永久磁石１２の形状は角型よりも丸型の方が、封入時の位置ずれが生じにくいので好ましい。
【００２２】
図４に示すように、本発明の陶磁器製装飾盤は、陶板１０の断熱性を生かして鍋敷きとして使用することができる。しかもこの場合には、永久磁石１２の磁力によって鉄製鍋１８の底面に鍋敷きを吸着させることができる。このため鉄製鍋１８を両手で持って鍋敷きとともに移動させることができる利点がある。鉄製鍋１８の底面の温度は多くの場合、１００℃以下であるから、この温度によって永久磁石１２が酸化したり、その磁力が低下することがないように、最大温度が１００℃以上の希土類ネオジウム磁石を選択することが好ましい。なお、稀に２００℃近くまで加熱されたフライパンが置かれることもある。陶板１０の断熱効果によりその温度がそのまま永久磁石１２に伝わるわけではないが、最大温度が２００℃の希土類ネオジウム磁石を選択すれば、なお好ましい。
【００２３】
図５に示すように、本発明の陶磁器製装飾盤を壁掛家として使用した場合には、鉄等の強磁性体からなる家庭用小物１９を陶板１０の装飾面１６に吸着保持させておくことができる。図５では鍵を吸着させた状態が示されているが、その他の様々なものを吸着させることができる。例えば鉄製のクリップを用いれば、伝言用のメモや写真なども張り付けることができる。
【００２４】
以上に説明したように、本発明の陶磁器製装飾盤は、装飾品としての機能を損なうことなく、鍋敷きや壁掛けとして用いられるものであり、内部に収納した永久磁石１２によって、家庭において便利な付加的機能を備えた利点がある。
【符号の説明】
【００２５】
１０  陶板
１１  凹部
１２  永久磁石
１３  装飾紐
１４  クリップ
１５  吊り掛け部
１６  装飾面
１７  緩衝材
１８  鉄製鍋
１９  家庭用小物
【図１】
2020093490.tif 000003
【図２】
2020093490.tif 000004
【図３】
2020093490.tif 000005
【図４】
2020093490.tif 000006
【図５】
2020093490.tif 000007
【手続補正書】
【提出日】令和1年11月15日(2019.11.15)
【手続補正１】
【補正対象書類名】明細書
【補正対象項目名】０００７
【補正方法】変更
【補正の内容】
【０００７】
上記の課題を解決するためになされた本発明は、２枚の陶板をその裏面を重ね合わせて接合一体化し、その外周縁に壁掛け用の装飾紐を巻き付けた陶磁器製装飾盤であって、前記２枚の陶板を左右対称形、かつ同一形状とするとともに双方の裏面に凹部を形成し、重ね合わせた２枚の陶板の同一位置で対向する凹部により形成される中空部に永久磁石を封入して陶板の表面を磁気吸着面とし、また一方の陶板の表面を装飾面とし、他方の陶板の表面を緩衝材を接合した緩衝面としたことを特徴とするものである。
【手続補正２】
【補正対象書類名】明細書
【補正対象項目名】００１６
【補正方法】変更
【補正の内容】
【００１６】
この実施形態では、３つの凹部１１が形成されているが、その数は任意である。
【手続補正３】
【補正対象書類名】特許請求の範囲
【補正対象項目名】全文
【補正方法】変更
【補正の内容】
【特許請求の範囲】
【請求項１】
２枚の陶板をその裏面を重ね合わせて接合一体化し、その外周縁に壁掛け用の装飾紐を巻き付けた陶磁器製装飾盤であって、
前記２枚の陶板を左右対称形、かつ同一形状とするとともに双方の裏面に凹部を形成し、重ね合わせた２枚の陶板の同一位置で対向する凹部により形成される中空部に永久磁石を封入して陶板の表面を磁気吸着面とし、
また一方の陶板の表面を装飾面とし、他方の陶板の表面を緩衝材を接合した緩衝面としたことを特徴とする陶磁器製装飾盤。
【請求項２】
前記２枚の陶板の双方の裏面に複数の凹部を形成し、それぞれの凹部に永久磁石を封入したことを特徴とする請求項１に記載の陶磁器製装飾盤。
【請求項３】
前記永久磁石が板状の希土類ネオジウム磁石であることを特徴とする請求項１に記載の陶磁器製装飾盤。
【請求項４】
前記緩衝材が、着色されたパイル紙であることを特徴とする請求項１に記載の陶磁器製装飾盤。